【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
遊技場内に配置された複数の遊技島に設けられる複数の遊技台の稼働状況を管理する遊技台管理装置であって、
遊技場内に配置された遊技島のレイアウトが表示され、各遊技島に属する遊技台に対応する枠が表示されるとともに、当該枠に対応する遊技台の現在の状況が表示される全体表示画面を表示する全体表示制御と、該全体表示画面に表示された遊技島のうち利用者から選択を受付けた遊技島が拡大表示された拡大表示画面を表示する拡大表示制御と、を行う表示制御手段と、
各遊技島の島番号および当該遊技島に属する遊技台の台番号を設定する遊技島設定手段と、
前記拡大表示画面において、前記利用者から選択を受付けた遊技島とともに拡大表示する他の遊技島の範囲を設定する周辺表示範囲設定手段と、を備え、
前記表示制御手段は、前記全体表示画面において、各遊技島に対応付けて前記遊技島設定手段により設定された当該遊技島の島番号と当該遊技島に属する先頭の遊技台の台番号とを表示する全体表示制御を行い、前記拡大表示画面において、前記利用者から選択を受付けた遊技島および前記周辺表示範囲設定手段により設定された範囲の他の遊技島を拡大表示し、該拡大表示された遊技島に属する遊技台に対応する枠を表示するとともに、当該枠に対応する遊技台の現在の状況と前記遊技島設定手段により設定された台番号とを表示する拡大表示制御を行うことを特徴とする遊技台管理装置。
【請求項２】
請求項１に記載した遊技台管理装置であって、
前記複数の遊技台の現在の状況に対する選択を受け付ける状況選択手段と、該状況選択手段により選択された状況にある遊技台を検索する遊技台検索手段と、をさらに備え、
前記表示制御手段は、該遊技台検索手段により検索された遊技台の台番号を一覧表示させる制御を行うことを特徴とする遊技台管理装置。
【請求項３】
請求項２に記載した遊技台管理装置であって、
前記状況選択手段により非稼働である遊技台の選択がされた際に、前記表示制御手段は、前記遊技台検索手段により検索された非稼働の遊技台の台番号と共に該非稼働の時間を一覧表示させる制御を行うことを特徴とする遊技台管理装置。
【手続補正２】
【補正対象書類名】明細書
【補正対象項目名】０００６
【補正方法】変更
【補正の内容】
【０００６】
まず請求項１に係る発明は、遊技場内に配置された複数の遊技島に設けられる複数の遊技台の稼働状況を管理する遊技台管理装置であって、遊技場内に配置された遊技島のレイアウトが表示され、各遊技島に属する遊技台に対応する枠が表示されるとともに、当該枠に対応する遊技台の現在の状況が表示される全体表示画面を表示する全体表示制御と、該全体表示画面に表示された遊技島のうち利用者から選択を受付けた遊技島が拡大表示された拡大表示画面を表示する拡大表示制御と、を行う表示制御手段と、各遊技島の島番号および当該遊技島に属する遊技台の台番号を設定する遊技島設定手段と、前記拡大表示画面において、前記利用者から選択を受付けた遊技島とともに拡大表示する他の遊技島の範囲を設定する周辺表示範囲設定手段と、を備え、前記表示制御手段は、前記全体表示画面において、各遊技島に対応付けて前記遊技島設定手段により設定された当該遊技島の島番号と当該遊技島に属する先頭の遊技台の台番号とを表示する全体表示制御を行い、前記拡大表示画面において、前記利用者から選択を受付けた遊技島および前記周辺表示範囲設定手段により設定された範囲の他の遊技島を拡大表示し、該拡大表示された遊技島に属する遊技台に対応する枠を表示するとともに、当該枠に対応する遊技台の現在の状況と前記遊技島設定手段により設定された台番号とを表示する拡大表示制御を行うことを特徴とする遊技台管理装置である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また請求項２に係る発明は、請求項１に記載した遊技台管理装置であって、前記複数の遊技台の現在の状況に対する選択を受け付ける状況選択手段と、該状況選択手段により選択された状況にある遊技台を検索する遊技台検索手段と、をさらに備え、前記表示制御手段は、該遊技台検索手段により検索された遊技台の台番号を一覧表示させる制御を行うことを特徴とする遊技台管理装置である。
【手続補正６】
【補正対象書類名】明細書
【補正対象項目名】００１０
【補正方法】変更
【補正の内容】
【００１０】
さらに請求項３に係る発明は、請求項２に記載した遊技台管理装置であって、前記状況選択手段により非稼働である遊技台の選択がされた際に、前記表示制御手段は、前記遊技台検索手段により検索された非稼働の遊技台の台番号と共に該非稼働の時間を一覧表示させる制御を行うことを特徴とする遊技台管理装置である。
【手続補正７】
【補正対象書類名】明細書
【補正対象項目名】００６９
【補正方法】変更
【補正の内容】
【００６９】
まず請求項１に係る発明は、遊技場内に配置された複数の遊技島（２）に設けられる複数の遊技台（パチンコ台Ｐ）の稼働状況を管理する遊技台管理装置（３０）であって、遊技場内に配置された遊技島のレイアウトが表示され、各遊技島に属する遊技台に対応する枠が表示されるとともに、当該枠に対応する遊技台の現在の状況が表示される全体表示画面を表示する全体表示制御と、該全体表示画面に表示された遊技島のうち利用者から選択を受付けた遊技島が拡大表示された拡大表示画面を表示する拡大表示制御と、を行う表示制御手段（制御部３２）と、各遊技島の島番号および当該遊技島に属する遊技台の台番号を設定する遊技島設定手段（ディスプレイ３４及び入力装置３５）と、前記拡大表示画面において、前記利用者から選択を受付けた遊技島とともに拡大表示する他の遊技島の範囲を設定する周辺表示範囲設定手段（ディスプレイ３４及び入力装置３５）と、を備え、前記表示制御手段は、前記全体表示画面において、各遊技島に対応付けて前記遊技島設定手段により設定された当該遊技島の島番号と当該遊技島に属する先頭の遊技台の台番号とを表示する全体表示制御を行い、前記拡大表示画面において、前記利用者から選択を受付けた遊技島および前記周辺表示範囲設定手段により設定された範囲の他の遊技島を拡大表示し、該拡大表示された遊技島に属する遊技台に対応する枠を表示するとともに、当該枠に対応する遊技台の現在の状況と前記遊技島設定手段により設定された台番号とを表示する拡大表示制御を行うことを特徴とする遊技台管理装置である。
【手続補正８】
【補正対象書類名】明細書
【補正対象項目名】００７０
【補正方法】削除
【補正の内容】
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】変更
【補正の内容】
【００７２】
また請求項２に係る発明は、請求項１に記載した遊技台管理装置（３０）であって、前記複数の遊技台（パチンコ台Ｐ）の現在の状況に対する選択を受け付ける状況選択手段（ディスプレイ３４及び入力装置３５）と、該状況選択手段により選択された状況にある遊技台を検索する遊技台検索手段（制御部３２）と、をさらに備え、前記表示制御手段は、該遊技台検索手段により検索された遊技台の台番号を一覧表示させる制御を行うことを特徴とする遊技台管理装置である。
【手続補正１１】
【補正対象書類名】明細書
【補正対象項目名】００７３
【補正方法】変更
【補正の内容】
【００７３】
さらに請求項３に係る発明は、請求項２に記載した遊技台管理装置であって、前記状況選択手段（ディスプレイ３４及び入力装置３５）により非稼働である遊技台（パチンコ台Ｐ）の選択がされた際に、前記表示制御手段（制御部３２）は、前記遊技台検索手段（制御部３２）により検索された非稼働の遊技台の台番号と共に該非稼働の時間を一覧表示させる制御を行うことを特徴とする遊技台管理装置である。
【手続補正１２】
【補正対象書類名】明細書
【補正対象項目名】００８１
【補正方法】変更
【補正の内容】
【００８１】
上記の実施形態では、図８に示す営業中拡大表示画面において、選択された遊技島２の周辺に配置される他の遊技島２も拡大表示される例について説明したが、これに限らず、該選択された遊技島２のみが拡大表示されるようにしても良い。また選択された遊技島２が表示画面の中心に拡大表示される例について説明したが、これに限らず、該選択された遊技島が表示画面の左端や右端等の任意の位置に拡大表示されるようにしても良い。また図３に示す基本設定画面において、周辺表示範囲を遊技場側が任意に設定できるようにしても良く、さらに選択された遊技島２の上下２方向，あるいは上下左右の４方向等の任意の方向が拡大表示されるようにしても良い。
【手続補正１３】
【補正対象書類名】明細書
【補正対象項目名】００８４
【補正方法】変更
【補正の内容】
【００８４】
まず請求項１に係る遊技台管理装置によれば、全体表示画面において、各遊技島の島番号および該遊技島に属する先頭の遊技台の台番号が表示されるので、各遊技島に設けられている遊技台のおおよその台番号を容易に把握でき、拡大表示を希望する遊技島を選択する際の目安にすることができる。また全体表示画面に表示された遊技島のうち利用者から選択を受付けた遊技島および周辺表示範囲設定手段により設定された範囲の他の遊技島が拡大表示されるので、該遊技島に属する複数の遊技台の現在の状況を容易に視認でき、該現在の状況に応じた対応を敏速に行うことができるとともに、拡大表示を希望する遊技島の周辺に配置されている他の遊技島を誤って選択しても再度選択し直す必要がなく、該希望する遊技島に属する複数の遊技台の現在の状況を容易に視認できる。
【手続補正１４】
【補正対象書類名】明細書
【補正対象項目名】００８５
【補正方法】削除
【補正の内容】
【手続補正１５】
【補正対象書類名】明細書
【補正対象項目名】００８６
【補正方法】削除
【補正の内容】
【手続補正１６】
【補正対象書類名】明細書
【補正対象項目名】００８７
【補正方法】変更
【補正の内容】
【００８７】
また請求項２に係る遊技台管理装置によれば、選択された状況にある遊技台が一覧表示されるので、該選択された状況に応じた対応を敏速に行うことができる。
【手続補正１７】
【補正対象書類名】明細書
【補正対象項目名】００８８
【補正方法】変更
【補正の内容】
【００８８】
さらに請求項３に係る遊技台管理装置によれば、非稼働の遊技台の台番号と共に該非稼働の時間が一覧表示されるので、該遊技台に遊技者を導くための参考にできると共に、不人気の機種を把握して遊技台の入替等の目安にすることができる。